(57)【要約】  【課題】  無線ＩＣチップに、電波の受信が途絶えたならば保持しているデータが消失する仕組みを加え、無線ＩＣチップの利便性を向上させる。  【解決手段】  不揮発性メモリ１１１を含む回路ユニット１１０と、揮発性メモリ２１１を含む回路ユニット２１０と、不揮発性メモリ１１１および揮発性メモリ２１１に対してデータの読み書きを行う読み書き回路と、第１の電波を受信して回路ユニット１１０に電力を供給する第１の電力供給手段であるアンテナ２１およびＲＦアンプ１００と、第１の電波とは周波数が異なる第２の電波を受信して回路ユニット２１０に電力を供給する第２の電力供給手段であるアンテナ２２およびＲＦアンプ２００とを備える。  【選択図】  図２
2006178910.tif 000002
【特許請求の範囲】
【請求項１】
不揮発性メモリを含む第１の回路ユニットと、
揮発性メモリを含む第２の回路ユニットと、
前記不揮発性メモリおよび前記揮発性メモリに対してデータの読み書きを行う読み書き手段と、
第１の電波を受信して前記第１の回路ユニットに電力を供給する第１の電力供給手段と、
前記第１の電波とは周波数が異なる第２の電波を受信して前記第２の回路ユニットに電力を供給する第２の電力供給手段と
を備えることを特徴とする無線ＩＣチップ。
【請求項２】
前記揮発性メモリに対してデータの読み書きを行う読み書き手段と、前記不揮発性メモリに対してデータの読み書きを行う読み書き手段とを個別に備えることを特徴とする請求項１に記載の無線ＩＣチップ。
【請求項３】
前記第１の電力供給手段は、前記第１の回路ユニットにも電力を供給することを特徴とする請求項１に記載の無線ＩＣチップ。
【請求項４】
前記揮発性メモリに特定の値が記憶されている場合以外は前記読み書き手段による前記不揮発性メモリからデータの読み出しを阻害する中継手段を備えることを特徴とする請求項１に記載の無線ＩＣチップ。
【請求項５】
前記第１の回路ユニットは、前記揮発性メモリに書き込まれる暗号キーを用いて前記不揮発性メモリに対して読み書きされるデータの暗号処理を実行する暗号回路を備えることを特徴とする請求項１に記載の無線ＩＣチップ。
【請求項６】
電波を受信してチップ内の回路に電力を供給する電力供給手段と、
前記電力供給手段が第１の電波を受信した場合に、当該電力供給手段から電力の供給を受けて動作する第１の回路ユニットと、
前記電力供給手段が前記第１の電波とは周波数が異なる第２の電波を受信した場合に、当該電力供給手段から電力の供給を受けて動作し、当該電力供給手段が当該第２の電波を受信しているあいだメモリに所定のデータを保持する第２の回路ユニットと、
を備えることを特徴とする無線ＩＣチップ。
【請求項７】
前記第１の回路ユニットは、前記電力供給手段が前記第２の電波を受信した場合にも、当該電力供給手段から電力の供給を受けて動作することを特徴とする請求項６に記載の無線ＩＣチップ。
【請求項８】
前記第１の回路ユニットは、前記電力供給手段が前記第２の電波を受信した場合に、前記第２の回路ユニットのメモリにデータの書き込みを行うことを特徴とする請求項７に記載の無線ＩＣチップ。
【請求項９】
前記第１の回路ユニットは、
メモリと、
前記第２の回路ユニットのメモリに特定の値が保持されていることを条件に前記第１の回路ユニットのメモリにアクセス可能なアクセス手段と
を備えることを特徴とする請求項６に記載の無線ＩＣチップ。
【請求項１０】
前記第１の回路ユニットは、前記第２の回路ユニットのメモリに保持された暗号キーを用いてデータの暗号処理を実行する暗号回路を備えることを特徴とする請求項６に記載の無線ＩＣチップ。
【請求項１１】
無線ＩＣチップと、
第１の領域全体で前記無線ＩＣチップとの交信が可能な第１の電波で当該無線ＩＣチップとの交信を行うリーダーと、
前記第１の領域内に設定された第２の領域内でのみ前記無線ＩＣチップとの交信が可能な第２の電波で当該無線ＩＣチップとの交信を行うライターとを備え、
前記無線ＩＣチップは、
前記第１の電波または前記第２の電波を受信してチップ内の回路に電力を供給する電力供給手段と、
前記電力供給手段が前記第１の電波を受信した場合に、当該電力供給手段から電力の供給を受けて動作する第１の回路ユニットと、
前記電力供給手段が前記第２の電波を受信した場合に、当該電力供給手段から電力の供給を受けて動作し、当該電力供給手段が当該第２の電波を受信しているあいだメモリにデータを保持する第２の回路ユニットとを備え、
前記リーダーは、前記無線ＩＣチップが前記第１の領域内に位置する場合に、当該無線ＩＣチップと交信して前記第１の回路ユニットを動作させ、前記メモリに保持されているデータを読み出し、
前記ライターは、前記無線ＩＣチップが前記第２の領域内に位置する場合に、当該無線ＩＣチップと交信して前記第２の回路ユニットを動作させ、前記メモリに所定のデータを書き込むことを特徴とする位置認識システム。
【請求項１２】
前記第２の領域は前記第１の領域内に複数箇所設定され、個々の当該第２の領域に対応する各ライターは、対応する当該第２の領域内に位置する前記無線ＩＣチップの前記メモリに、各々固有のデータを書き込むことを特徴とする請求項１１に記載の位置認識システム。
【請求項１３】
無線ＩＣチップと、
第１の領域全体で前記無線ＩＣチップとの交信が可能な第１の電波で当該無線ＩＣチップとの交信を行うリーダーと、
前記第１の領域内に設定された第２の領域内でのみ前記無線ＩＣチップとの交信が可能な第２の電波で当該無線ＩＣチップとの交信を行うライターとを備え、
前記無線ＩＣチップは、
前記第１の電波または前記第２の電波を受信してチップ内の回路に電力を供給する電力供給手段と、
前記電力供給手段が前記第１の電波を受信した場合に、当該電力供給手段から電力の供給を受けて動作する第１の回路ユニットと、
前記電力供給手段が前記第２の電波を受信した場合に、当該電力供給手段から電力の供給を受けて動作する第２の回路ユニットとを備え、
前記第１の回路ユニットまたは前記第２の回路ユニットのいずれか一方は、
揮発性メモリと、
前記揮発性メモリに対してデータを書き込む書き込み手段とを備え、
前記第１の回路ユニットまたは前記第２の回路ユニットの他方は、
不揮発性メモリと、
前記揮発性メモリに特定のデータが保持されていることを条件に前記不揮発性メモリに格納されたデータを読み出す読み出し手段とを備え、
前記リーダーは、前記無線ＩＣチップが前記第１の領域内に位置する場合に、当該無線ＩＣチップと交信して前記第２の回路ユニットまたは前記第１の回路ユニットを動作させ、前記不揮発性メモリに書き込まれているデータを読み出し、
前記ライターは、前記無線ＩＣチップが前記第２の領域内に位置する場合に、当該無線ＩＣチップと交信して前記第１の回路ユニットまたは前記第２の回路ユニットを動作させ、前記揮発性メモリに前記特定のデータを書き込むことを特徴とするセキュリティシステム。
【請求項１４】
無線ＩＣチップと、
第１の領域全体で前記無線ＩＣチップとの交信が可能な第１の電波で当該無線ＩＣチップとの交信を行うリーダーと、
前記第１の領域内に設定された第２の領域内でのみ前記無線ＩＣチップとの交信が可能な第２の電波で当該無線ＩＣチップとの交信を行うライターとを備え、
前記無線ＩＣチップは、
前記第１の電波または前記第２の電波を受信してチップ内の回路に電力を供給する電力供給手段と、
前記電力供給手段が前記第１の電波を受信した場合に、当該電力供給手段から電力の供給を受けて動作する第１の回路ユニットと、
前記電力供給手段が前記第２の電波を受信した場合に、当該電力供給手段から電力の供給を受けて動作する第２の回路ユニットとを備え、
前記第１の回路ユニットまたは前記第２の回路ユニットのいずれか一方は、
揮発性メモリと、
前記揮発性メモリに対してデータを書き込む書き込み手段とを備え、
前記第１の回路ユニットまたは前記第２の回路ユニットの他方は、
不揮発性メモリと、
前記不揮発性メモリに対してデータの読み書きを行う読み書き手段と、
前記揮発性メモリに保持されているデータを暗号キーとして前記不揮発性メモリに対して読み書きされるデータの暗号処理を実行する暗号回路とを備え、
前記リーダーは、前記無線ＩＣチップが前記第１の領域内に位置する場合に、当該無線ＩＣチップと交信して前記第２の回路ユニットまたは前記第１の回路ユニットを動作させ、前記不揮発性メモリに対するデータの読み書き、および当該データに対する前記暗号キーを用いた暗号処理を実行させ、
前記ライターは、前記無線ＩＣチップが前記第２の領域内に位置する場合に、当該無線ＩＣチップと交信して前記第１の回路ユニットまたは前記第２の回路ユニットを動作させ、前記揮発性メモリに前記暗号キーとなるデータを書き込むことを特徴とするセキュリティシステム。
【発明の詳細な説明】
【技術分野】
【０００１】
本発明は、交信用の電波を用いて電力を供給され、当該電波により非接触で情報の読み書きが可能な無線ＩＣチップに関する。
【背景技術】
【０００２】
近年、無線ＩＣ（Integrated Circuit）チップを用いて人や物を識別・管理するＲＦ−ＩＤ（Radio Frequency Identification）と呼ばれる技術が注目されている。ＲＦ−ＩＤで使用される無線ＩＣチップ（ＲＦ−ＩＤタグ、無線ＩＣタグ等とも呼ばれる）は、電波や電磁波でリーダー／ライターと交信し、アンテナ側からの非接触電力伝送技術により、電池を持たずに動作することができる（例えば、特許文献１、２、非特許文献１参照）。
【０００３】
無線ＩＣチップは、通常、チップ内部に不揮発性メモリを有しており、リーダー／ライターから電波等で交信することにより、この不揮発性メモリに対してデータの読み書きを行うことができる。不揮発性メモリを用いることにより、無線ＩＣチップがリーダー／ライターからの電波を受信しなくなって電力供給が断たれても、書き込まれたデータは消えずに保持される。
【０００４】
このことを利用し、流通段階や製造段階にある品物に無線ＩＣチップを付着しておき、各段階で適宜情報を不揮発性メモリに対して読み書きすることにより、品物の物流管理や工程管理を行うことが可能である。
【０００５】
【特許文献１】特開２００１−２９１０７９号公報
【特許文献２】特開２００３−３３１２３８号公報
【非特許文献１】“基礎から分かる無線ＩＣタグ”、［online］、２００４年１月２０日、日経ＢＰ社、［２００４年７月３０日検索］、インターネット＜http://itpro.nikkeibp.co.jp/free/NBY/RFID/20031204/3/mokuji.jsp＞
【発明の開示】
【発明が解決しようとする課題】
【０００６】
しかしながら、不揮発性メモリに書き込まれたデータは、上述したように、無線ＩＣチップがリーダー／ライターからの電波を受信しなくなって電力供給が断たれても保持されるため、既に書き込まれているデータを消去するには、リーダー／ライターを用いて別のデータを上書きする操作が必要であるため、手間を要する。また、リーダー／ライターの電波が届かない状態ではデータの消去ができず利便性を欠く。
【０００７】
さらにまた、不揮発性メモリに書き込まれたデータは、リーダー／ライターを用いていつでも読み出すことができる。そのため、情報のセキュリティの観点から、秘匿すべき情報を不揮発性メモリに書き込むような無線ＩＣチップの用い方が困難であった。
【０００８】
そこで本発明は、無線ＩＣチップに、リーダー／ライターの電波を受信しているときにのみデータを保持し、電波の受信が途絶えたならばそのデータが消失する仕組みを加え、利便性を向上させた無線ＩＣチップおよびそのような無線ＩＣチップを用いたシステムを提供することを目的とする。
【課題を解決するための手段】
【０００９】
上記の目的を達成するため、本発明は、次のように構成された無線ＩＣチップとして実現される。この無線ＩＣチップは、不揮発性メモリを含む第１の回路ユニットと、揮発性メモリを含む第２の回路ユニットと、不揮発性メモリおよび揮発性メモリに対してデータの読み書きを行う読み書き手段と、第１の電波を受信して第１の回路ユニットに電力を供給する第１の電力供給手段と、第１の電波とは周波数が異なる第２の電波を受信して第２の回路ユニットに電力を供給する第２の電力供給手段とを備えることを特徴とする。
【００１０】
ここで、この無線ＩＣチップは、揮発性メモリに対してデータの読み書きを行う読み書き手段と、不揮発性メモリに対してデータの読み書きを行う読み書き手段とを個別に備える構成とすることができる。また、第１の電力供給手段が、第１の回路ユニットにも電力を供給する構成とすることができる。
【００１１】
さらに、本発明の無線ＩＣチップは、次のような構成にて実現することもできる。この無線ＩＣチップは、電波を受信してチップ内の回路に電力を供給する電力供給手段と、電力供給手段が第１の電波を受信した場合に、この電力供給手段から電力の供給を受けて動作する第１の回路ユニットと、電力供給手段が第１の電波とは周波数が異なる第２の電波を受信した場合に、この電力供給手段から電力の供給を受けて動作し、この電力供給手段が第２の電波を受信しているあいだメモリに所定のデータを保持する第２の回路ユニットとを備えることを特徴とする。
【００１２】
ここで、この無線ＩＣチップにおいて、第１の回路ユニットは、電力供給手段が第２の電波を受信した場合に、この電力供給手段から電力の供給を受けて動作し、第２の回路ユニットのメモリにデータの書き込みを行う構成とすることができる。
【００１３】
さらに本発明は、上記の無線ＩＣチップと、第１の領域全体で無線ＩＣチップとの交信が可能な第１の電波でこの無線ＩＣチップとの交信を行うリーダーと、第１の領域内に設定された第２の領域内でのみ無線ＩＣチップとの交信が可能な第２の電波で無線ＩＣチップとの交信を行うライターとを備えるシステムとしても実現される。このシステムにおいて、無線ＩＣチップは、第１の電波または第２の電波を受信してチップ内の回路に電力を供給する電力供給手段と、電力供給手段が第１の電波を受信した場合に、この電力供給手段から電力の供給を受けて動作する第１の回路ユニットと、電力供給手段が第２の電波を受信した場合に、この電力供給手段から電力の供給を受けて動作し、電力供給手段が第２の電波を受信しているあいだメモリにデータを保持する第２の回路ユニットとを備える。また、リーダーは、無線ＩＣチップが第１の領域内に位置する場合に、無線ＩＣチップと交信して第１の回路ユニットを動作させ、メモリに保持されているデータを読み出す。さらに、ライターは、無線ＩＣチップが第２の領域内に位置する場合に、無線ＩＣチップと交信して第２の回路ユニットを動作させ、メモリに所定のデータを書き込むことを特徴とする。第２の領域は第１の領域内に複数箇所設定され、個々の第２の領域に対応する各ライターが、対応する第２の領域内に位置する無線ＩＣチップのメモリに、各々固有のデータを書き込む構成とすることもできる。
【００１４】
あるいは、このシステムにおいて、無線ＩＣチップは、第１の電波または第２の電波を受信してチップ内の回路に電力を供給する電力供給手段と、この電力供給手段が第１の電波を受信した場合に、この電力供給手段から電力の供給を受けて動作する第１の回路ユニットと、電力供給手段が第２の電波を受信した場合に、この電力供給手段から電力の供給を受けて動作する第２の回路ユニットとを備える構成としても良い。この場合、第１の回路ユニットまたは第２の回路ユニットのいずれか一方は、揮発性メモリと、この揮発性メモリに対してデータを書き込む書き込み手段とを備える。他方の回路ユニットは、不揮発性メモリと、揮発性メモリに特定のデータが保持されていることを条件にこの不揮発性メモリに格納されたデータを読み出す読み出し手段とを備える。また、リーダーは、無線ＩＣチップが第１の領域内に位置する場合に、無線ＩＣチップと交信して第２の回路ユニットまたは第１の回路ユニットを動作させ、不揮発性メモリに書き込まれているデータを読み出す。さらに、ライターは、無線ＩＣチップが第２の領域内に位置する場合に、無線ＩＣチップと交信して第１の回路ユニットまたは第２の回路ユニットを動作させ、揮発性メモリに特定のデータを書き込む。
【００１５】
あるいは、このシステムにおいて、無線ＩＣチップは、第１の電波または第２の電波を受信してチップ内の回路に電力を供給する電力供給手段と、この電力供給手段が第１の電波を受信した場合に、この電力供給手段から電力の供給を受けて動作する第１の回路ユニットと、電力供給手段が第２の電波を受信した場合に、この電力供給手段から電力の供給を受けて動作する第２の回路ユニットとを備える構成とすることもできる。この場合、第１の回路ユニットまたは第２の回路ユニットのいずれか一方は、揮発性メモリと、この揮発性メモリに対してデータを書き込む書き込み手段とを備える。他方の回路ユニットは、不揮発性メモリと、この不揮発性メモリに対してデータの読み書きを行う読み書き手段と、揮発性メモリに保持されているデータを暗号キーとして不揮発性メモリに対して読み書きされるデータの暗号処理を実行する暗号回路とを備える。また、リーダーは、無線ＩＣチップが第１の領域内に位置する場合に、無線ＩＣチップと交信して第２の回路ユニットまたは第１の回路ユニットを動作させ、不揮発性メモリに対するデータの読み書き、およびこのデータに対する暗号キーを用いた暗号処理を実行させる。さらに、ライターは、無線ＩＣチップが第２の領域内に位置する場合に、無線ＩＣチップと交信して第１の回路ユニットまたは第２の回路ユニットを動作させ、揮発性メモリに暗号キーとなるデータを書き込む。
【発明の効果】
【００１６】
以上のように構成された本発明によれば、無線ＩＣチップに、リーダー／ライターの電波を受信しているときにのみデータを保持し、電波の受信が途絶えたならばそのデータが消失する仕組みを実現し、無線ＩＣチップの利便性を大幅に向上させることができる。
【発明を実施するための最良の形態】
【００１７】
以下、添付図面を参照して、本発明を実施するための最良の形態（以下、実施形態）について詳細に説明する。
図１は、無線ＩＣチップの構成を概略的に示す図である。
図１に示すように、無線ＩＣチップ１０は、リーダー／ライターと無線通信するためのアンテナ２０と、データの処理（アンテナ２０を用いた送受信を含む）および蓄積を行うＩＣモジュール３０を備える。無線ＩＣチップ１０の形状は、ラベル型、カード型など様々であり、用途に応じて使い分けることができる。
【００１８】
アンテナ２０は、電波（電磁波）により送信された無線信号を検出し、電気信号に変換して出力する。ＩＣモジュール３０は、この電気信号を動作電力として動作すると共に、この電気信号に含まれる情報にしたがって処理（演算、メモリへの受信データの書き込み、メモリからのデータの読み出しおよび送信など）を実行する。
【００１９】
図２は、本実施形態におけるＩＣモジュール３０の構成を示す図である。
図１では単一のアンテナ２０が記載されているが、図２に示すように本実施形態では、２種類の周波数の電波によって無線ＩＣチップ１０を動作させデータの送受信が行えるように、２つのアンテナ２１、２２が設けられる。また、本実施形態のＩＣモジュール３０は、アンテナ２１、２２にそれぞれ接続された２つのＲＦアンプ（高周波増幅回路）１００、２００と、２組の回路ユニット１１０、２１０とを備える。そして、回路ユニット１１０には不揮発性メモリ１１１が搭載され、回路ユニット２１０には揮発性メモリ２１１が搭載される。
【００２０】
ＲＦアンプ１００は、アンテナ２１から電気信号を入力し増幅して出力する。この電気信号は、リーダー／ライターから送信された情報を含む。また、この電気信号は、ＩＣモジュール３０の動作電力として、回路ユニット１１０に供給される。ＲＦアンプ２００は、アンテナ２２から電気信号を入力し増幅して出力する。この電気信号は、リーダー／ライターから送信された情報を含む。また、この電気信号は、ＩＣモジュール３０の動作電力として、回路ユニット２１０に供給される。
【００２１】
回路ユニット１１０は、演算処理やメモリに対するデータの読み書き等の処理を行うための回路を必要に応じて備えるが、その具体的構成は無線ＩＣチップ１０の使用目的や使用方法等に応じて適宜定められるため、詳しくは後述する。ただし、上述したように、回路ユニット１１０はメモリとして不揮発性メモリ１１１を備える。これにより、回路ユニット１１０において保持されるデータは、ＲＦアンプ１００からの電力供給が断たれても消えることなく維持される。
【００２２】
回路ユニット２１０は、演算処理やメモリに対するデータの読み書き等の処理を行うための回路を必要に応じて備えるが、その具体的構成は無線ＩＣチップ１０の使用目的や使用方法等に応じて適宜定められるため、詳しくは後述する。ただし、上述したように、回路ユニット２１０はメモリとして揮発性メモリ２１１を備える。これにより、回路ユニット２１０において保持されるデータは、ＲＦアンプ２００からの電力供給が断たれると、消失してしまう。
【００２３】
以上のように、回路ユニット１１０、２１０の具体的な回路構成は、無線ＩＣチップ１０の使用目的や使用方法等に応じて適宜決定される。しかしながら少なくとも、回路ユニット１１０は、その処理において、回路ユニット２１０の揮発性メモリ２１１に保持されるデータの種類や有無により影響を受ける構成とする。具体的には、例えば、
（１）回路ユニット１１０に、揮発性メモリ２１１に対するデータの読み書きを行う読み書き手段を設ける。
（２）回路ユニット１１０における不揮発性メモリ１１１に対するデータの読み書きを行う場合の実行条件として、揮発性メモリ２１１に保持されているデータを用いる。
（３）回路ユニット１１０におけるデータ処理において、揮発性メモリ２１１に保持されている暗号キーを用いた暗号処理を行う。
等が考えられる。
【００２４】
このような構成とすることにより、アンテナ２２により電波を受信され回路ユニット２１０に電力が供給されて揮発性メモリ２１１に所定のデータが保持されている場合と、回路ユニット２１０への電力の供給が断たれて揮発性メモリ２１１に格納されたデータが消失した場合とで、回路ユニット１１０は異なる動作をすることとなる。以下、本実施形態の無線ＩＣチップ１０の具体的な適用例を挙げ、回路ユニット１１０、２１０の具体的な構成および動作と、無線ＩＣチップ１０の使用方法を説明する。
【００２５】
＜適用例１：位置認識システム＞
本実施形態の無線ＩＣチップ１０を用いて、倉庫内で管理されている品物の位置情報を詳細かつ正確に認識可能な位置認識システムを実現することができる。
図３は、本システムで用いる無線ＩＣチップ１０に搭載されるＩＣモジュール３０の具体的な構成を示す図である。
図３を参照すると、無線ＩＣチップ１０のＩＣモジュール３０は、２つのＲＦアンプ１００、２００と、２組の回路ユニット１１０、２１０とを備えている。
【００２６】
回路ユニット１１０は、不揮発性メモリ１１１と、読み書き回路１１２と、演算回路１１３と、認証回路１１４とを備える。一方、回路ユニット２１０は、揮発性メモリ２１１のみを備える。また、回路ユニット１１０は、ＲＦアンプ１００およびＲＦアンプ２００から電力供給を受けて動作する。一方、回路ユニット２１０は、ＲＦアンプ２００のみから電力供給を受けて動作する。
【００２７】
回路ユニット１１０の読み書き回路１１２は、アンテナ２１、２２で受信されＲＦアンプ１００、２００で電気信号に変換された受信信号に基づき、回路ユニット１１０に搭載された不揮発性メモリ１１１および回路ユニット２１０に搭載された揮発性メモリ２１１の双方に対してデータの読み書きを行う。したがって、読み書き回路１１２は、回路ユニット１１０がＲＦアンプ２００から電力を供給されている場合、またはＲＦアンプ１００とＲＦアンプ２００の双方から電力を供給されている場合、言い換えれば、アンテナ２２が電波を受信している場合、またはアンテナ２１とアンテナ２２の双方が電波を受信している場合は、不揮発性メモリ１１１および揮発性メモリ２１１の双方に対してデータの読み書きを行うことができる。これに対し、回路ユニット１１０がＲＦアンプ１００のみから電力を供給されている場合、言い換えれば、アンテナ２１のみが電波を受信している場合は、不揮発性メモリ１１１のみに対してデータの読み書きを行うことができ、揮発性メモリ２１１に対してはアクセスすることができない。
【００２８】
なお、読み書き回路１１２は、回路ユニット２１０に電力が供給されていない場合に、意味を持たない（言い換えれば、揮発性メモリ２１１に意味のあるデータが書き込まれていないことを意味する）固定値を揮発性メモリ２１１からの読み取りデータとして認識することとしている。これは、回路ユニット２１０に電力が供給されていない場合に、読み書き回路１１２が揮発性メモリ２１１からデータを読み取ろうとしてランダムな値を認識してしまうと、認識された値が、揮発性メモリ２１１に書き込まれている値なのか、揮発性メモリ２１１にアクセスできないために認識してしまったランダムな値なのかを識別することができないためである。この意味を持たない固定値としては、具体的には、例えば「００」や「ＦＦ」が割り当てられる。
【００２９】
また、回路ユニット１１０の演算回路１１３は、アンテナ２１、２２で受信されＲＦアンプ１００、２００で電気信号に変換された受信信号に基づき、無線ＩＣチップ１０の使用目的に応じた、各種の論理演算や算術演算を行う。
認証回路１１４は、アンテナ２１、２２で受信されＲＦアンプ１００、２００で電気信号に変換された受信信号に基づき、ＩＣモジュール３０が動作する前提として、ユーザやリーダー／ライターの認証処理を行う。
【００３０】
図４は、本適用例の位置認識システムが適用される倉庫の概観を示す図であり、図４（Ａ）は倉庫を上から見た様子を示し、図４（Ｂ）は倉庫を横から見た様子を示す。
図４に示す倉庫には、倉庫の内部全域（領域ａ）で無線ＩＣチップ１０との交信が可能なリーダー／ライター３１０が設けられている。そして、特に図示しないが、リーダー／ライター３１０は、位置解析を行う解析装置（コンピュータ）に接続されている。この解析装置は、リーダー／ライター３１０が無線ＩＣチップ１０から読み出したデータに基づいて、当該無線ＩＣチップ１０が倉庫内のどの位置にあるかを認識する。
【００３１】
また、倉庫内部には、適当な位置に、品物を置く１または複数のパレット４００が設けられている。そして、各パレット４００の設置位置に、当該パレット４００をほぼ覆う範囲（領域ｂ）で無線ＩＣチップ１０との交信が可能なリーダー／ライター３２０が設けられている。各パレット４００には固有の識別データが設定されており、個々のパレット４００に対応する各リーダー／ライター３２０は、対応するパレット４００上（領域ｂ内）にある無線ＩＣチップ１０の回路ユニット２１０の揮発性メモリ２１１に、そのパレット４００の識別データを書き込むものとする。
【００３２】
ここで、無線ＩＣチップ１０は、通信に使用される電波の周波数が規格によって定められているが、どの周波数を用いるかによって、通信可能な距離が変わる。例えば、１３．５６ＭＨｚでは通信距離が１．５ｍ、ＵＨＦ帯（８６０ＭＨｚ〜９６０ＭＨｚ）では３〜７ｍ等となっている。そこで、リーダー／ライター３１０では遠距離でも無線ＩＣチップ１０と通信可能な周波数を用い、パレット４００付近に設置されるリーダー／ライター３２０では近距離でのみ無線ＩＣチップ１０と通信可能な周波数を用いることにより、上記のような設定が可能となる。
【００３３】
これに応じて、無線ＩＣチップ１０においても、アンテナ２１、２２が受信する電波の周波数が特定されることとなる。本適用例では、アンテナ２１はリーダー／ライター３１０の電波（ｆ１）を受信し、アンテナ２２はリーダー／ライター３２０の電波（ｆ２）を受信することとする。これにより、回路ユニット１１０は、無線ＩＣチップ１０が付着された品物が倉庫内（領域ａ）に存在すれば動作することとなる。一方、回路ユニット２１０は、この無線ＩＣチップ１０が付着された品物が倉庫内のいずれかのパレット４００上（領域ｂ）に置かれている場合に動作することとなる。
【００３４】
さて、上記のように構成されたシステムにおいて、無線ＩＣチップ１０が付着された品物Ａが、倉庫内に運び込まれ、いずれかのパレット４００上に置かれる場合を考える。この品物Ａに付着された無線ＩＣチップ１０の回路ユニット１１０の不揮発性メモリ１１１には、品物Ａの識別データが記録されているものとする。品物Ａが倉庫内に入った時点で、リーダー／ライター３１０が無線ＩＣチップ１０と交信可能となる。このとき、無線ＩＣチップ１０の回路ユニット２１０には電力が供給されていないので、回路ユニット１１０の読み書き回路１１２は不揮発性メモリ１１１のみからデータの読み出しが可能である。したがって、リーダー／ライター３１０は、不揮発性メモリ１１１に格納されている品物Ａの識別データを読み出して図示しない解析装置に送信する。解析装置は、リーダー／ライター３１０から受信したデータに基づき、品物Ａが倉庫内に入ったことを認識する。
【００３５】
また、この時点では、読み書き回路１１２は、揮発性メモリ２１１のデータとして上述した意味を持たない固定値（「００」や「ＦＦ」）を認識する。リーダー／ライター３１０は、不揮発性メモリ１１１から読み出されたデータと共にこの固定値も取得し、解析装置に送信する。解析装置は、この固定値を受信することにより、品物Ａがいずれのパレット４００上にも置かれていないことを認識する。
【００３６】
次に、この品物Ａが倉庫内のいずれかのパレット４００上に置かれると、このパレット４００に対応するリーダー／ライター３２０が無線ＩＣチップ１０と交信可能となる（以下、この品物Ａが置かれたパレット４００をパレット４００ａと記す）。そして、リーダー／ライター３２０により、無線ＩＣチップ１０の回路ユニット１１０の読み書き回路１１２が制御され、このパレット４００ａの識別データが回路ユニット２１０の揮発性メモリ２１１に書き込まれる。
【００３７】
揮発性メモリ２１１にデータが書き込まれると、リーダー／ライター３１０は、回路ユニット１１０の読み書き回路１１２を制御して、この揮発性メモリ２１１に書き込まれたパレット４００ａの識別データを読み出し、図示しない解析装置に送信する。解析装置は、リーダー／ライター３１０から受信したパレット４００ａの識別データに基づいて、品物Ａがパレット４００ａ上に置かれていることを認識する。
【００３８】
次に、パレット４００ａ上に置かれている品物Ａを他のパレット４００（以下、このパレットをパレット４００ｂと記す）上に移動する場合を考える。品物Ａがフォークリフトその他の運搬手段によりパレット４００ａ上から離れると、パレット４００ａに対応するリーダー／ライター３２０の電波（ｆ２）は無線ＩＣチップ１０に届かなくなる。そのため、回路ユニット２１０への電力供給が断たれ、揮発性メモリ２１１に書き込まれたデータが消失する。したがって、リーダー／ライター３１０は、パレット４００ａの識別データの代わりに上述した固定値を取得し、図示しない解析装置に送信する。解析装置は、リーダー／ライター３１０からの受信データがパレット４００ａの識別データから固定値に変わったことにより、品物Ａがパレット４００ａ上から離れたことを認識する。なお、この品物Ａが通路を移動している間は、いずれのパレット４００に対応するリーダー／ライター３２０も無線ＩＣチップ１０と交信することができない。したがって、解析装置は、リーダー／ライター３１０からの受信データに基づき、品物Ａがいずれのパレット４００上にも置かれていないことを認識する。
【００３９】
そして、この品物Ａが倉庫内のパレット４００ｂ上に置かれると、このパレット４００ｂに対応するリーダー／ライター３２０が無線ＩＣチップ１０と交信可能となる。そして、リーダー／ライター３２０により、このパレット４００ｂの識別データが回路ユニット２１０の揮発性メモリ２１１に書き込まれ、リーダー／ライター３１０により、この揮発性メモリ２１１に書き込まれたパレット４００ｂの識別データが読み出されて図示しない解析装置に送信される。解析装置は、リーダー／ライター３１０から受信したパレット４００ｂの識別データに基づき、無線ＩＣチップ１０が付着された品物Ａがパレット４００ｂ上に移動したことを認識する。
【００４０】
以上のように、無線ＩＣチップ１０が付着された品物の倉庫内における位置が管理される位置認識システムを用いて、倉庫内に搬入された品物がどのパレット４００上にあるかを正確に検索することができる。したがって、例えば倉庫管理者が所定の品物を出庫しようとする場合、リーダー／ライター３１０を用いて所望の品物に付着された無線ＩＣチップ１０の回路ユニット２１０の揮発性メモリ２１１に書かれている位置情報を読むことにより、所望の品物が倉庫内のどこにあるかを知ることができる。
【００４１】
また上述したように、本システムによれば、無線ＩＣチップ１０が付着された品物がパレット４００上から離れた場合は、揮発性メモリ２１１に書き込まれたパレット４００の識別データが自動的に消失する。したがって、品物が倉庫から出荷された後や、倉庫内の通路などパレット４００以外の場所に品物がこぼれ落ちた場合などは、解析装置においてその品物がいずれのパレット４００上にも置かれていないことがわかるので、より正確かつ詳細な品物の位置認識が可能である。
【００４２】
さらに、製品の製造現場のように、品物が頻繁に移動するような状況では、本適用例の位置認識システムを用いて、品物の位置認識を連続的に行うことにより、所望の品物が移動する様子をリアルタイムで把握することも可能である。
【００４３】
＜適用例２：セキュリティシステム＞
本実施形態の無線ＩＣチップ１０を用いて、チップ内のメモリに格納された情報の読み出しを制御して機密性を確保するセキュリティシステムを実現することができる。
図５は、本システムで用いる無線ＩＣチップ１０のに搭載されるＩＣモジュール３０具体的な構成を示す図である。
図５を参照すると、無線ＩＣチップ１０のＩＣモジュール３０は、２つのＲＦアンプ１００、２００と、２組の回路ユニット１１０、２１０とを備えている。
【００４４】
回路ユニット１１０は、不揮発性メモリ１１１と、演算回路１１３と、認証回路１１４と、読み出し回路１１５と、ＡＮＤ回路１１６とを備える。このうち、演算回路１１３および認証回路１１４は、上述した適用例１の演算回路１１３および認証回路１１４と同様であるので、同一の符号を付して説明を省略する。回路ユニット２１０は、揮発性メモリ２１１と書き込み回路２１２とを備える。また、回路ユニット１１０はＲＦアンプ１００のみから電力供給を受けて動作し、回路ユニット２１０はＲＦアンプ２００のみから電力供給を受けて動作する。
【００４５】
回路ユニット１１０の読み出し回路１１５は、アンテナ２１で受信されＲＦアンプ１００で電気信号に変換された受信信号に基づき、不揮発性メモリ１１１に格納されているデータの読み出しを行う。一方、回路ユニット２１０の書き込み回路２１２は、アンテナ２２で受信されＲＦアンプ２００で電気信号に変換された受信信号に基づき、揮発性メモリ２１１に対してデータの書き込みを行う。
【００４６】
回路ユニット１１０の読み出し回路１１５は、ＡＮＤ回路１１６を介して不揮発性メモリ１１１および回路ユニット２１０の揮発性メモリ２１１に接続されている。このため、読み出し回路１１５は、揮発性メモリ２１１にデータ「１」が書き込まれている場合にのみ不揮発性メモリ１１１に格納されているデータを読み出すことができ、揮発性メモリ２１１にデータ「０」が書かれている場合は不揮発性メモリ１１１に格納されているデータを読み出すことができない。したがって、ＲＦアンプ２００から回路ユニット２１０に電力が供給されず、揮発性メモリ２１１の内容が「０」にクリアされている場合は、読み出し回路１１５は不揮発性メモリ１１１に格納されているデータの読み出しができないこととなる。
【００４７】
なお、本適用例では、上述した適用例１とは異なり、回路ユニット１１０はＲＦアンプ１００のみから電力供給を受け、回路ユニット２１０はＲＦアンプ２００のみから電力供給を受ける。これにより、回路ユニット１１０の読み出し回路１１５は、必ずアンテナ２１、２２の両方が電波を受信しているときにしか不揮発性メモリ１１１からデータを読み出せないこととなり、セキュリティのレベルを増すことができる。
【００４８】
図６は、本適用例において無線ＩＣチップ１０に対するデータの読み書きを行うためのシステム構成を示す図である。
本適用例では、無線ＩＣチップ１０の回路ユニット１１０の不揮発性メモリ１１１に格納されているデータ（機密情報）を読み出すためのリーダー／ライター５１０と、回路ユニット２１０の揮発性メモリ２１１にデータ「１」を書き込むためのリーダー／ライター５２０とが使用される。図６に示すように、リーダー／ライター５２０は、ハイセキュリティエリア６００に設置されており、セキュリティのレベルに応じて設定される条件を満足した場合にのみ、ハイセキュリティエリア６００内に無線ＩＣチップ１０を持ち込むことができるものとする。また、ハイセキュリティエリア６００は電波が漏れないようにシールドされている。
【００４９】
リーダー／ライター５１０およびリーダー／ライター５２０は、それぞれ異なる周波数の電波で無線ＩＣチップ１０と交信する。そして、無線ＩＣチップ１０において、アンテナ２１はリーダー／ライター５１０の電波（ｆ１）を受信し、アンテナ２２はリーダー／ライター５２０の電波（ｆ２）を受信することとする。これにより、無線ＩＣチップ１０の回路ユニット２１０は、ハイセキュリティエリア６００でリーダー／ライター５２０との交信が可能な範囲内に位置する場合にのみ動作することとなる。
【００５０】
なお、図６に示した例では、リーダー／ライター５１０が無線ＩＣチップ１０と通信可能な範囲（領域ａ）が広く、リーダー／ライター５２０が無線ＩＣチップ１０と通信可能な範囲（領域ｂ）が狭く記載されている。しかし、本適用例では、リーダー／ライター５１０が無線ＩＣチップ１０と交信するための周波数とリーダー／ライター５２０が無線ＩＣチップ１０と交信するための周波数とが異なっていれば良く、その通信可能な範囲の広狭は問題とならない。実際には、システムの実施態様に応じて、所望の通信範囲（通信距離）を確保できる周波数を用いれば良い。
【００５１】
さて、上記のように構成されたシステムにおいて、リーダー／ライター５１０を用いて無線ＩＣチップ１０の回路ユニット１１０の不揮発性メモリ１１１に格納されている情報を読み出そうとする場合を考える。無線ＩＣチップ１０がハイセキュリティエリア６００外にある場合、リーダー／ライター５２０の電波（ｆ２）は無線ＩＣチップ１０に到達しない。そのため、回路ユニット２１０に電力が供給されず、揮発性メモリ２１１の内容は「０」である。したがって、回路ユニット１１０の読み出し回路１１５は、不揮発性メモリ１１１に格納されているデータ（機密情報）を読み出すことができない。
【００５２】
所定の条件を満足して無線ＩＣチップ１０がハイセキュリティエリア６００内に持ち込まれてリーダー／ライター５２０に近づくと、リーダー／ライター５２０が無線ＩＣチップ１０と交信可能となる。そして、リーダー／ライター５２０からの電波（ｆ２）がアンテナ２２により受信され、ＲＦアンプ２００から回路ユニット２１０に電力が供給されて、書き込み回路２１２が揮発性メモリ２１１にデータ「１」を書き込む。なお、書き込み回路２１２は、電力が供給された場合に自動的に揮発性メモリ２１１にデータ「１」を書き込むように設定しても良いし、リーダー／ライター５２０からの受信信号にしたがって揮発性メモリ２１１に受信データ（データ「１」）を書き込むようにしても良い。
【００５３】
揮発性メモリ２１１にデータ「１」が書き込まれると、回路ユニット１１０の読み出し回路１１５は、不揮発性メモリ１１１に格納されているデータ（機密情報）を読み出すことが可能となる。そこで、リーダー／ライター５１０によって読み出し回路１１５を制御することにより、不揮発性メモリ１１１に格納されているデータ（機密情報）が読み出されることとなる。
【００５４】
次に、無線ＩＣチップ１０をリーダー／ライター５２０から離し、リーダー／ライター５２０から通信可能な範囲（領域ｂ）を外れると、リーダー／ライター５２０の電波（ｆ２）は無線ＩＣチップ１０に届かなくなる。そのため、回路ユニット２１０への電力供給が断たれ、揮発性メモリ２１１に書き込まれたデータが消失し、メモリ内容は「０」となる。したがって、再びリーダー／ライター５１０から不揮発性メモリ１１１に格納されているデータ（機密情報）を読み指すことができなくなる。
【００５５】
なお、本適用例では、不揮発性メモリ１１１に機密情報を格納することとしたが、回路ユニット１１０に、不揮発性メモリ１１１の他に別の不揮発性メモリを設けて機密性のない情報を格納するようにしても良い。この場合、この別の不揮発性メモリは、ＡＮＤ回路１１６を介すことなく、読み出し回路１１５に直接接続される。このようにすれば、機密性のない情報については、いつでもリーダー／ライター５１０を用いて読み出すことが可能となる。
【００５６】
＜適用例３：暗号を用いたセキュリティシステム＞
本実施形態の無線ＩＣチップ１０を用いて、暗号を用いた、適用例２とは異なるセキュリティシステムを実現することができる。
図７は、本システムで用いる無線ＩＣチップ１０に搭載されるＩＣモジュール３０の具体的な構成を示す図である。
図７を参照すると、無線ＩＣチップ１０のＩＣモジュール３０は、２つのＲＦアンプ１００、２００と、２組の回路ユニット１１０、２１０とを備えている。
【００５７】
回路ユニット１１０は、不揮発性メモリ１１１と、演算回路１１３と、認証回路１１４と、読み出し回路１１５と、暗号回路１１７とを備える。回路ユニット２１０は、揮発性メモリ２１１と書き込み回路２１２とを備える。このうち、回路ユニット１１０の演算回路１１３、認証回路１１４および読み出し回路１１５と、回路ユニット２１０の書き込み回路２１２は、上述した適用例２の演算回路１１３、認証回路１１４、読み出し回路１１５および書き込み回路２１２と同様であるので、同一の符号を付して説明を省略する。また、回路ユニット１１０はＲＦアンプ１００のみから電力供給を受けて動作し、回路ユニット２１０はＲＦアンプ２００のみから電力供給を受けて動作する。
【００５８】
回路ユニット１１０の暗号回路１１７は、演算回路１１３によって処理されるデータに対する暗号処理（データの暗号化および暗号データの復号）を実行する。この暗号回路１１７による暗号処理では、回路ユニット２１０の揮発性メモリ２１１に書き込まれたデータが暗号キーとして使用される。したがって、ＲＦアンプ２００から回路ユニット２１０に電力が供給されて揮発性メモリ２１１に暗号キーが書き込まれている場合にのみ暗号回路１１７はデータの暗号処理を実行できることとなる。
【００５９】
また、暗号回路１１７は、不揮発性メモリ１１１に対して読み書きされるデータの暗号処理を行うことができる。すなわち、不揮発性メモリ１１１にデータが書き込まれる際に、その書き込みデータを暗号化したり、不揮発性メモリ１１１に格納されている暗号データが読み出される際に、その読み出しデータを復号したりすることができる。
【００６０】
なお、本適用例においても、適用例２と同様に、回路ユニット１１０はＲＦアンプ１００のみから電力供給を受け、回路ユニット２１０はＲＦアンプ２００のみから電力供給を受ける。これにより、回路ユニット１１０の暗号回路１１７は、必ずアンテナ２１、２２の両方が電波を受信しているときにしかデータの暗号処理を実行できないこととなり、セキュリティのレベルを増すことができる。
【００６１】
図８は、本適用例において無線ＩＣチップ１０に対するデータの読み書きを行うためのシステム構成を示す図である。
本適用例では、無線ＩＣチップ１０の回路ユニット１１０の不揮発性メモリ１１１に格納されているデータ（機密情報）を読み出すためのリーダー／ライター７１０と、回路ユニット２１０の揮発性メモリ２１１に暗号キーを書き込むためのリーダー／ライター７２０とが使用される。図８に示すように、リーダー／ライター７２０は、ハイセキュリティエリア８００に設置されており、セキュリティのレベルに応じて設定される条件を満足した場合にのみ、ハイセキュリティエリア８００内に無線ＩＣチップ１０を持ち込むことができるものとする。また、ハイセキュリティエリア８００は電波が漏れないようにシールドされている。
【００６２】
リーダー／ライター７１０およびリーダー／ライター７２０は、それぞれ異なる周波数の電波で無線ＩＣチップ１０と交信する。そして、無線ＩＣチップ１０において、アンテナ２１はリーダー／ライター７１０の電波（ｆ１）を受信し、アンテナ２２はリーダー／ライター７２０の電波（ｆ２）を受信することとする。これにより、無線ＩＣチップ１０の回路ユニット２１０は、ハイセキュリティエリア８００でリーダー／ライター７２０との交信が可能な範囲内に位置する場合にのみ動作することとなる。
【００６３】
なお、図８に示した例では、リーダー／ライター７２０が無線ＩＣチップ１０と通信可能な範囲（領域ｂ）が広く、リーダー／ライター７１０が無線ＩＣチップ１０と通信可能な範囲（領域ａ）が狭く記載されている。しかし、本適用例では、リーダー／ライター７２０が無線ＩＣチップ１０と交信するための周波数とリーダー／ライター７１０が無線ＩＣチップ１０と交信するための周波数とが異なっていれば良く、その通信可能な範囲の広狭は問題とならない。実際には、システムの実施態様に応じて、所望の通信範囲（通信距離）を確保できる周波数を用いれば良い。
【００６４】
さて、上記のように構成されたシステムにおいて、リーダー／ライター７１０を用いて無線ＩＣチップ１０の回路ユニット１１０の不揮発性メモリ１１１に格納されている情報を読み出そうとする場合を考える。不揮発性メモリ１１１には暗号化されたデータが格納されているものとする。無線ＩＣチップ１０がハイセキュリティエリア８００外にある場合、リーダー／ライター７２０の電波（ｆ２）は無線ＩＣチップ１０に到達しない。そのため、回路ユニット２１０に電力が供給されず、揮発性メモリ２１１には暗号キーとなるデータが保持されていない。したがって、回路ユニット１１０の読み出し回路１１５が不揮発性メモリ１１１に格納されているデータ（機密情報）を読み出しても、暗号回路１１７は読み出されたデータを復号することができない。したがって、リーダー／ライター７１０において取得されるデータは暗号化されたままの意味のないデータとなる。
【００６５】
所定の条件を満足して無線ＩＣチップ１０がハイセキュリティエリア８００内に持ち込まれてリーダー／ライター７２０に近づくと、リーダー／ライター７２０が無線ＩＣチップ１０と交信可能となる。そして、リーダー／ライター７２０からの電波（ｆ２）がアンテナ２２により受信され、ＲＦアンプ２００から回路ユニット２１０に電力が供給される。また、リーダー／ライター７２０からの電波（ｆ２）に含まれる信号に基づいて、書き込み回路２１２が揮発性メモリ２１１に暗号キーを書き込む。
【００６６】
揮発性メモリ２１１に暗号キーが書き込まれると、回路ユニット１１０の暗号回路１１７は、この暗号キーを用いて不揮発性メモリ１１１から読み出された暗号データを復号することが可能後なる。したがって、リーダー／ライター７１０によって読み出し回路１１５を制御して不揮発性メモリ１１１からデータを読み出し、さらに読み出されたデータを暗号回路１１７にて復号することにより、所望のデータ（機密情報）が取得されることとなる。
【００６７】
次に、無線ＩＣチップ１０をリーダー／ライター７２０から離し、リーダー／ライター７２０から通信可能な範囲（領域ｂ）を外れると、リーダー／ライター７２０の電波（ｆ２）は無線ＩＣチップ１０に届かなくなる。そのため、回路ユニット２１０への電力供給が断たれ、揮発性メモリ２１１に書き込まれた暗号キーが消失する。したがって、再び暗号回路１１７は不揮発性メモリ１１１から読み出されたデータ（機密情報）を復号できなくなり、リーダー／ライター７１０において取得されるデータは暗号化されたままの意味のないデータとなる。
【００６８】
なお、本適用例では、不揮発性メモリ１１１から読み出されたデータを復号する場合について、リーダー／ライター７１０、７２０との関係を説明したが、これらの関係は、不揮発性メモリ１１１に格納するデータを暗号化する場合や、不揮発性メモリ１１１に対するデータの読み書き以外の処理でデータの暗号処理を実行する場合も同様である。
【図面の簡単な説明】
【００６９】
【図１】本実施形態の無線ＩＣチップの構成を示す図である。
【図２】本実施形態におけるＩＣモジュールの構成を示す図である。
【図３】本実施形態を用いた位置認識システムにおける無線ＩＣチップに搭載されるＩＣモジュールの具体的な構成を示す図である。
【図４】本実施形態を用いた位置認識システムが適用される倉庫の概観を示す図であり、図４（Ａ）は倉庫を上から見た様子を示し、図４（Ｂ）は倉庫を横から見た様子を示す図である。
【図５】本実施形態を用いたセキュリティシステムにおける無線ＩＣチップに搭載されるＩＣモジュールの具体的な構成を示す図である。
【図６】本実施形態を用いたセキュリティシステムにおいて無線ＩＣチップに対するデータの読み書きを行うためのシステム構成を示す図である。
【図７】本実施形態を用いた他のセキュリティシステムにおける無線ＩＣチップに搭載されるＩＣモジュールの具体的な構成を示す図である。
【図８】本実施形態を用いた他のセキュリティシステムにおいて無線ＩＣチップに対するデータの読み書きを行うためのシステム構成を示す図である。
【符号の説明】
【００７０】
１０…無線ＩＣチップ、２１、２２…アンテナ、３０…ＩＣモジュール、１００、２００…ＲＦアンプ、１１０、２１０…回路ユニット、１１１…不揮発性メモリ、１１２…読み書き回路、１１３…演算回路、１１４…認証回路、１１５…読み出し回路、１１６…ＡＮＤ回路、１１７…暗号回路、２１１…揮発性メモリ、２１２…書き込み回路、３１０、３２０、５１０、５２０、７１０、７２０…リーダー／ライター、４００…パレット、６００、８００…ハイセキュリティエリア
【図１】
2006178910.tif 000003
【図２】
2006178910.tif 000004
【図３】
2006178910.tif 000005
【図４】
2006178910.tif 000006
【図５】
2006178910.tif 000007
【図６】
2006178910.tif 000008
【図７】
2006178910.tif 000009
【図８】
2006178910.tif 000010